(57)【要約】【課題】  インナーチューブの形状に合ったアウターチューブを予め用意しておくことにより、インナーチューブの形状に応じてアウターチューブを単に被せるだけで対応でき、しかも、インナーチューブの長さに対しても自由に対応出来るようにする。【解決手段】  第１被媒体を流通させる長手方向へ延伸されたインナーチューブ３と、このインナーチューブ３の外周に被せられ、第２被媒体を流通させる流通室５を備えたゴム又は樹脂からなるアウターチューブ７と、このアウターチューブ７の両端にそれぞれ前記流通室５に前記第２被媒体を流入出させる出入り口９，１１を備えた固定具１３、１５と、から構成されることを特徴とする。【選択図】      図１
2005042861.tif 000002
【特許請求の範囲】
【請求項１】
第１被媒体を流通させる長手方向へ延伸されたインナーチューブと、このインナーチューブの外周に被せられ、第２被媒体を流通させる流通室を備えたゴム又は樹脂からなるアウターチューブと、このアウターチューブの両端にそれぞれ前記流通室に前記第２被媒体を流入出させる出入り口を備えた固定具と、で構成されていることを特徴とする２重管継ぎ手。
【請求項２】
前記流通室の断面が、円周上に適宜な間隔で３ケ以上流通室で形成されていることを特徴とする請求項１記載の２重管継ぎ手。
【請求項３】
流通室を備えたゴム又は樹脂からなり、前記流通室の断面が、円周上に適宜な間隔で３ケ以上流通室で形成されていることを特徴とするるアウターチューブ。
【発明の詳細な説明】
【技術分野】
【０００１】
この発明は、２重管継ぎ手およびそれに用いるアウターチューブに関する。
【背景技術】
【０００２】
従来、図４に示されているように、２重管継ぎ手１０１としては長手方向へ延伸された金属からなる中空形状のインナーチューブ１０３が設けられており、このインナーチューブ１０３の両端における例えば右側にはインナーチューブ１０３に第１被媒体としての例えば冷却水又は温水を流すための入り口１０５を備えたジョイント１０７が取り付けられている。また、前記インナーチューブ１０３の両端における例えば左側にはインナーチューブ１０３に第１被媒体としての冷却水又は温水を流すための出口１０９を備えたジョイント１１１が取り付けられている。
【０００３】
そして、前記インナーチューブ１０３の外周を離間して包囲し、インナーチューブ１０３との間に第２被媒体としての例えば冷却媒体を流通させる流通室１１３を区画する金属からなる断面が円形状のアウターチューブ１１５が設けられ、このアウターチューブ１１５の左右両端の内面部は前記インナーチューブ１０３の外周面に例えば溶接により接合されている。しかも、アウターチューブ１１５の例えば右上上面には前記流通室１１３に第２被媒体の例えば水を供給する入り口１１７を備えており、また、アウターチューブ１１５の例えば左下下面には前記流通室１１３内の第２被媒体の例えば水を排出する出口１１９を備えている。
【０００４】
上記構成により、インナーチューブ１０３の入り口１０５から例えば冷却水が供給されると共に出口１０９から例えば冷却水が排出される。そして、入り口１１７から別の冷却水がアウターチューブ１１５内の流通室１１３へ供給されると共に出口１１９から排出されるようになっている。
【特許文献１】特開２００２−２２８０７２号公報
【発明の開示】
【発明が解決しようとする課題】
【０００５】
ところで、上述した従来の２重管継ぎ手１０１においては、インナーチューブ１０３の長さが決められた状態で、そのインナーチューブ１０３の長さに応じてアウターチューブ１１５の長さを決めてその都度製作し、インナーチューブ１０３にアウターチューブ１１５を溶接などで接合しているため、製作並びに取付が非常に大変であった。また、インナーチューブ１０３の長さが変わるとそのたび毎にアウターチューブ１１５を製作し、取り付けなければならす、コストがかかると共に製作も大変厄介なものであった。
【０００６】
この発明は上述の課題を解決するためになされたもので、その目的は、インナーチューブの形状に合ったアウターチューブを予め用意しておくことにより、インナーチューブの形状に応じてアウターチューブを単に被せるだけで対応でき、しかも、インナーチューブの長さに対しても自由に対応出来るようにした２重管継ぎ手およびそれに用いるアウターチューブを提供することにある。
【課題を解決するための手段】
【０００７】
上記目的を達成するために請求項１によるこの発明の２重管継ぎ手は、第１被媒体を流通させる長手方向へ延伸されたインナーチューブと、このインナーチューブの外周に被せられ、第２被媒体を流通させる流通室を備えたゴム又は樹脂からなるアウターチューブと、このアウターチューブの両端にそれぞれ前記流通室に前記第２被媒体を流入出させる出入り口を備えた固定具と、から構成されることを特徴とするものである。
【０００８】
したがって、第１被媒体を流通させる長手方向へ延伸されたインナーチューブの外周に、第２被媒体を流通させる流通室を備えたゴム又は樹脂からなるアウターチューブが被せられる。そして、このアウターチューブの両端が、それぞれ前記流通室に前記第２被媒体を流入出させる出入り口を備えた固定具で固定される。
【０００９】
その結果、インナーチューブの形状に合ったアウターチューブを予め用意しておくことにより、インナーチューブの形状に応じてアウターチューブを単に被せるだけで対応でき、しかも、インナーチューブの長さに対しても自由に対応出来る。
【００１０】
請求項２によるこの発明の２重管継ぎ手は、請求項１記載の２重管継ぎ手において、前記流通室の断面が、円周上に適宜な間隔で３ケ以上流通室で形成されていることを特徴とするものである。
【００１１】
したがって、前記流通室の断面が、円周上に適宜な間隔で３ケ以上流通室で形成されていることにより、３ケ以上流通室に冷却水又は温水などの第２被媒体が流通されることで、インナーチューブに対してアウターチューブが移動せずに確実に保持される。
【００１２】
請求項３によるこの発明のアウターチューブは、流通室を備えたゴム又は樹脂からなり、前記流通室の断面が、円周上に適宜な間隔で３ケ以上流通室で形成されていることを特徴とするものである。
【００１３】
したがって、インナーチューブの形状に応じてアウターチューブを単に被せるだけで対応でき、しかも、インナーチューブの長さに対しても自由に対応出来る。また、３ケ以上流通室に冷却水又は温水などの第２被媒体が流通されることで、インナーチューブに対してアウターチューブが移動せずに確実に保持される。
【発明の効果】
【００１４】
請求項１の発明によれば、第１被媒体を流通させる長手方向へ延伸されたインナーチューブの外周に、第２被媒体を流通させる流通室を備えたゴム又は樹脂からなるアウターチューブが被せられる。そして、このアウターチューブの両端が、それぞれ前記流通室に前記第２被媒体を流入出させる出入り口を備えた固定具で固定される。
【００１５】
その結果、インナーチューブの形状に合ったアウターチューブを予め用意しておくことにより、インナーチューブの形状に応じてアウターチューブを単に被せるだけで対応でき、しかも、インナーチューブの長さに対しても自由に対応出来る。
【００１６】
請求項２の発明によれば、前記流通室の断面が、円周上に適宜な間隔で３ケ以上流通室で形成されていることにより、３ケ以上流通室に冷却水又は温水などの流体が流通されることで、インナーチューブに対してアウターチューブを移動せずに確実に保持することができる。
【００１７】
請求項３の発明によれば、インナーチューブの形状に応じてアウターチューブを単に被せるだけで対応でき、しかも、インナーチューブの長さに対しても自由に対応出来る。また、３ケ以上流通室に第２被媒体としての冷却水又は温水などの流体が流通されることで、インナーチューブに対してアウターチューブを移動せずに確実に保持することができる。
【発明を実施するための最良の形態】
【００１８】
以下、この発明の実施の形態について図面を参照して詳細に説明する。
【００１９】
図１、図２および図３を参照するに、２重管継ぎ手１は、冷却水、温水（加熱水）、薬液などの第１被媒体を流通させる長手方向へ延伸された例えば金属からなるインナーチューブ３の外周に、第２被媒体を流通させる流通室５を備えたゴム又は樹脂からなるアウターチューブ７が被せられ。このアウターチューブ７の両端は、それぞれ前記流通室５に前記第２被冷却媒体を流入出させる入り口９、出口１１を備えた固定具１３、１５で固定される。
【００２０】
この固定具１３の左側に挿入されているインナーチューブ３はスリーブ１７を介して市販品のチューブジョイント１９が接合される。また、固定具１５の右側に挿入されているインナーチューブ３はスリーブ２１を介して市販品のチューブジョイント２３が接合される。前記チューブジョイント１９内には前記インナーチューブ３に連通した第１被媒体用供給用穴２５が形成されていると共に前記チューブジョイント２３内には前記インナーチューブ３に連通した第２被媒体用排出用穴２７が形成されている。
【００２１】
上記構成により、チューブジョイント１９内に形成された第１被媒体用供給用穴２５から第１被媒体としての例えば冷却水、温水又は薬液がインナーチューブ３に供給されてインナーチューブ３が冷却、加熱されてチューブジョイント２３内に形成された第１被媒体用排出用穴２７から排出される。また、固定具１３に形成された入り口９から第２被媒体としての別の例えば冷却水、温水又は薬液がアウターチューブ７内に形成された流通室５をとおり、固定具１５に形成された出口１１から排出されることになる。
【００２２】
前記インナーチューブ３は、例えば４、６、８、１０、１２ｍｍの外径が用いられる。このインナーチューブ３の外径に応じた外径を有したアウターチューブ７が予め用意される。そして、アウターチューブ７に形成される流通室５の断面は例えば図３に示されているような円周上に９０°間隔で４ケが用いられる。この流通室５の個数は３ケ以上が望ましい。すなわち、３ケ以上の流通室５に第２被媒体としての冷却水又は温水などの流体が流通されることで、インナーチューブ３に対してアウターチューブ７が移動せずに確実に保持かることができるのである。
【００２３】
インナーチューブ３の外径に応じた外径を有したアウターチューブ７が予め用意されることで、アウターチューブ７の長さはインナーチューブ３の長さに応じて切断することができ、対応することができる。
【００２４】
したがって、インナーチューブ３は市販のものが利用でき、材質は問わずに選ぶことができると共にアウターチューブ７の材質は、第２被媒体が例えば温水の場合にはシリコンのゴムや樹脂が、第２被媒体が例えば冷却水の場合には市販のゴム、樹脂が、第２被媒体が例えば薬液の場合にはシリコンのゴムや樹脂が用いられる。
【００２５】
なお、この発明は前述した実施の形態に限定されることなく、適宜な変更を行うことによりその他の態様で実施し得るものである。
【図面の簡単な説明】
【００２６】
【図１】この発明の２重管継ぎ手の正面断面図である。
【図２】図１の側面図である。
【図３】図１におけるＩＩＩ−ＩＩＩ線に沿った拡大断面図である。
【図４】従来の２重管継ぎ手の正面断面図である。
【符号の説明】
【００２７】
１  ２重管継ぎ手
３  インナーチューブ
５  流通室
７  アウターチューブ
９  入り口
１１  出口
１３、１５  固定具  
１７、２１  スリーブ
１９、２３  チューブジョイント
２５  第１被媒体用供給用穴
２７  第２被媒体用排出用穴
【図１】
2005042861.tif 000003
【図２】
2005042861.tif 000004
【図３】
2005042861.tif 000005
【図４】
2005042861.tif 000006